(57)【要約】【課題】ユーザの操作端末から容易に印刷を行うことができるようにすること。【解決手段】印刷装置１３０と通信する端末側通信部１１１と、操作の入力を受け付ける入力部１１４と、所定機能を実行しているときに、入力部１１４が、印刷の実行指示とは異なり、対象データの生成を含む予め定められた処理の実行指示の入力を受けた場合に、その予め定められた処理を実行するとともに、その予め定められた処理において生成された対象データに従って、端末側通信部１１１から印刷装置１３０に送信する印刷ジョブを生成する制御部１１５とを備える。【選択図】図１
2019074976.tif 000002
【特許請求の範囲】
【請求項１】
印刷装置と接続可能な操作端末において、
前記印刷装置と通信する端末側通信部と、
操作の入力を受け付ける入力部と、
所定機能を実行しているときに、前記入力部が、印刷の実行指示とは異なり、対象データの生成を含む予め定められた処理の実行指示の入力を受けた場合に、前記予め定められた処理を実行するとともに、前記予め定められた処理において生成された前記対象データに従って、前記端末側通信部から前記印刷装置に送信する印刷ジョブを生成する制御部と、を備えること
を特徴とする操作端末。
【請求項２】
各種画面画像を表示する表示部をさらに備え、
前記予め定められた処理は、前記表示部に表示されている画面画像の画像データを生成するスクリーンショットであること
を特徴とする請求項１に記載の操作端末。
【請求項３】
撮像を行う撮像部をさらに備え、
前記予め定められた処理は、前記撮像部により撮像を行い、画像データを生成する撮像処理であること
を特徴とする請求項１に記載の操作端末。
【請求項４】
前記対象データは、前記画像データであること
を特徴とする請求項２又は３に記載の操作端末。
【請求項５】
各種画面画像を表示する表示部をさらに備え、
前記予め定められた処理は、前記表示部に表示されている画面画像の一部をコピーするコピー処理であること
を特徴とする請求項１に記載の操作端末。
【請求項６】
前記対象データは、前記コピー処理においてコピーされた内容を示すデータであること
を特徴とする請求項５に記載の操作端末。
【請求項７】
前記表示部は、前記制御部が実行することのできる複数の機能である複数の選択候補機能から前記所定機能を選択するための設定画面画像を表示し、
前記入力部は、前記設定画面画像を介して、前記所定機能として、一又は複数の機能を選択する入力を受け付けること
を特徴とする請求項２又は５に記載の操作端末。
【請求項８】
各種画面画像を表示する表示部をさらに備え、
前記表示部は、前記制御部が実行することのできる複数の機能である複数の選択候補機能から前記所定機能を選択するための設定画面画像を表示し、
前記入力部は、前記設定画面画像を介して、前記所定機能として、一又は複数の機能を選択する入力を受け付けること
を特徴とする請求項１又は３に記載の操作端末。
【請求項９】
前記複数の選択候補機能には、電子メールを生成して送信するメール機能、ウェブページを閲覧するブラウザ機能、乗り物の時刻表を表示する時刻表表示機能、及び、文書を編集する文書編集機能の少なくとも何れか一つの機能が含まれること
を特徴とする請求項７又は８に記載の操作端末。
【請求項１０】
コンピュータを、
印刷装置と通信する端末側通信部、
操作の入力を受け付ける入力部、及び、
所定機能を実行しているときに、前記入力部が、印刷の実行指示とは異なり、対象データの生成を含む予め定められた処理の実行指示の入力を受けた場合に、前記予め定められた処理を実行するとともに、前記予め定められた処理において生成された前記対象データに従って、前記端末側通信部から前記印刷装置に送信する印刷ジョブを生成する制御部、として機能させること
を特徴とするプログラム。
【請求項１１】
操作端末、及び、前記操作端末から送られてきた印刷ジョブに従って印刷を行う印刷装置を備える印刷システムであって、
前記操作端末は、
前記印刷装置と通信する端末側通信部と、
操作の入力を受け付ける入力部と、
所定機能を実行しているときに、前記入力部が、印刷の実行指示とは異なり、対象データの生成を含む予め定められた処理の実行指示の入力を受けた場合に、前記予め定められた処理を実行するとともに、前記予め定められた処理において生成された前記対象データに従って、前記端末側通信部から前記印刷装置に送信する印刷ジョブを生成する制御部と、を備えること
を特徴とする印刷システム。
【発明の詳細な説明】
【技術分野】
【０００１】
操作端末、プログラム及び印刷システムに関する。
【背景技術】
【０００２】
従来から、携帯端末が印刷データを生成し、その印刷データをプリンタに送り、プリンタで印刷を行う印刷システムが知られている（例えば、特許文献１参照）。
従来技術において、メール本文の印刷を実行する場合、携帯端末は、独自にメール画面のＰＤＦ（Ｐｏｒｔａｂｌｅ  Ｄｏｃｕｍｅｎｔ  Ｆｏｒｍａｔ）ファイルを作成し、そのファイルを画像データとして保存する。そして、携帯端末は、ユーザからその画像データの選択を受け付けて、選択された画像データをプリンタに送信する必要がある。
【先行技術文献】
【特許文献】
【０００３】
【特許文献１】特開２０１５−１６２１７６号公報
【発明の概要】
【発明が解決しようとする課題】
【０００４】
従来技術では、例えば、メール本文の印刷をする場合、画像データの生成、保存、選択及び送信を行わなければならず、ユーザの作業数が増えてしまう。このため、ユーザの負担が大きくなる。
【０００５】
そこで、本発明は、ユーザの操作端末から容易に印刷を行うことができるようにすることを目的とする。
【課題を解決するための手段】
【０００６】
本発明の一態様に係る操作端末は、印刷装置と接続可能な操作端末において、前記印刷装置と通信する端末側通信部と、操作の入力を受け付ける入力部と、所定機能を実行しているときに、前記入力部が、印刷の実行指示とは異なり、対象データの生成を含む予め定められた処理の実行指示の入力を受けた場合に、前記予め定められた処理を実行するとともに、前記予め定められた処理において生成された前記対象データに従って、前記端末側通信部から前記印刷装置に送信する印刷ジョブを生成する制御部と、を備えることを特徴とする。
【０００７】
本発明の一態様に係るプログラムは、コンピュータを、印刷装置と通信する端末側通信部、操作の入力を受け付ける入力部、及び、所定機能を実行しているときに、前記入力部が、印刷の実行指示とは異なり、対象データの生成を含む予め定められた処理の実行指示の入力を受けた場合に、前記予め定められた処理を実行するとともに、前記予め定められた処理において生成された前記対象データに従って、前記端末側通信部から前記印刷装置に送信する印刷ジョブを生成する制御部、として機能させることを特徴とする。
【０００８】
本発明の一態様に係る印刷システムは、操作端末、及び、前記操作端末から送られてきた印刷ジョブに従って印刷を行う印刷装置を備える印刷システムであって、前記操作端末は、前記印刷装置と通信する端末側通信部と、操作の入力を受け付ける入力部と、所定機能を実行しているときに、前記入力部が、印刷の実行指示とは異なり、対象データの生成を含む予め定められた処理の実行指示の入力を受けた場合に、前記予め定められた処理を実行するとともに、前記予め定められた処理において生成された前記対象データに従って、前記端末側通信部から前記印刷装置に送信する印刷ジョブを生成する制御部と、を備えることを特徴とする。
【発明の効果】
【０００９】
本発明の一態様によれば、ユーザの操作端末から容易に印刷を行うことができる。
【図面の簡単な説明】
【００１０】
【図１】実施の形態に係る印刷システムの構成を概略的に示すブロック図である。
【図２】実施の形態における設定画面画像の一例を示す概略図である。
【図３】（Ａ）及び（Ｂ）は、ハードウェアの構成例を示す概略図である。
【図４】実施の形態における携帯端末の状態遷移図である。
【図５】実施の形態における印刷確認画面画像の一例を示す概略図である。
【図６】実施の形態における警告画面画像の一例を示す概略図である。
【発明を実施するための形態】
【００１１】
図１は、実施の形態に係る印刷システム１００の構成を概略的に示すブロック図である。
印刷システム１００は、操作端末としての携帯端末１１０と、印刷装置１３０とを備える。
携帯端末１１０と、印刷装置１３０とは、無線１０１で接続されているが、有線で接続されていてもよい。これにより、携帯端末１１０は、印刷装置１３０に接続可能となっている。
【００１２】
携帯端末１１０は、端末側通信部１１１と、記憶部１１２と、表示部１１３と、入力部１１４と、制御部１１５とを備える。
【００１３】
端末側通信部１１１は、印刷装置１３０と通信する通信インターフェースである。本実施の形態では、端末側通信部１１１は、無線１０１を用いて、印刷装置１３０と通信を行う、無線ＬＡＮ（Ｌｏｃａｌ  Ａｒｅａ  Ｎｅｔｗｏｒｋ）の通信インターフェースである。
【００１４】
記憶部１１２は、携帯端末１１０での処理に必要なデータを記憶する。例えば、記憶部１１２は、スクリーンショットで取得された画像データを記憶する。
【００１５】
表示部１１３は、各種画面画像を表示する。
入力部１１４は、ユーザからの操作の入力を受け付ける。
例えば、表示部１１３及び入力部１１４は、タッチパネルにより構成することができる。
【００１６】
制御部１１５は、携帯端末１１０での処理を制御する。
例えば、制御部１１５は、所定機能を実行しているときに、入力部１１４が、印刷の実行指示とは異なり、対象データの生成を含む予め定められた処理の実行指示の入力を受けた場合に、その予め定められた処理を実行するとともに、その予め定められた処理において生成された対象データに従って、端末側通信部１１１から印刷装置１３０に送信する印刷ジョブを生成する。そして、制御部１１５は、端末側通信部１１１に、その印刷ジョブを印刷装置１３０へ送信させる。ここでの印刷ジョブは、対象データに従って印刷するためのデータである。
【００１７】
制御部１１５は、処理実行部１１６と、設定保存部１１７と、操作検知部１１８と、ロード部１１９と、印刷処理部１２０とを備える。
【００１８】
処理実行部１１６は、入力部１１４が受け付けたユーザからの指示に応じて、ユーザから指示された処理を実行する。例えば、処理実行部１１６は、ユーザからのスクリーンショットを実行する指示を入力部１１４が受けた場合に、表示部１１３に表示されている画面画像の画像データを生成し、生成された画像データを記憶部１１２に記憶させる。なお、画像データには、生成された日時を示すデータが含まれているものとする。本実施の形態においては、スクリーンショットを実行する指示を受けた場合には、表示部１１３に表示されている画面画像の全体の画像データが生成される。
【００１９】
設定保存部１１７は、携帯端末１１０が、自動で、印刷ジョブを生成し、印刷装置１３０に送信する自動印刷機能を実行するための第１の条件の設定を行う設定部である。
例えば、設定保存部１１７は、表示部１１３及び入力部１１４を介して、ユーザから自動印刷機能を実行するための第１の条件の設定の入力を受けて、その第１の条件を記憶部１１２に保存する（記憶する）。
【００２０】
具体的には、設定保存部１１７は、表示部１１３に、図２に示されている設定画面画像１０２を表示させて、入力部１１４を介して、ユーザから設定の入力を受け付ける。
図２に示されているように、設定画面画像１０２は、アプリケーションを識別するための識別情報（アプリケーション識別情報）であるアプリケーション名を表示する表示領域１０２ａと、表示領域１０２ａに表示されているアプリケーション名で識別されるアプリケーションが実行されていることを第１の条件とするか否かを選択するチェックボックスを有する選択領域１０２ｂとを備える。
例えば、ユーザが、入力部１１４を介して、選択領域１０２ｂに表示されている一又は複数のチェックボックスにチェックを入れると、そのチェックボックスの右側に表示されているアプリケーション名で識別されるアプリケーションが実行されていることが第１の条件として設定される。
【００２１】
ここで、アプリケーションは、制御部１１５で実行することのできる機能である。
従って、表示領域１０２ａに表示されている複数のアプリケーション名は、制御部１１５で実行することのできる複数の機能の機能名を示しており、ユーザにより選択することのできる選択候補機能の機能名である。
選択候補機能（選択候補アプリケーション）は、例えば、図２に示されているように、電子メールを生成して送信するメール機能（メールアプリケーション）、ウェブページを閲覧するブラウザ機能（ブラウザアプリケーション）及び、乗り物の時刻表を表示する時刻表表示機能（時刻表表示アプリケーション）である。なお、これらの機能の他、図示されていない他の機能（他のアプリケーション）が含まれていてもよい。例えば、文書を編集する文書編集機能（文書編集アプリケーション）が含まれていてもよい。
【００２２】
以上のように、第１の条件は、予め選択されたアプリケーションが実行されていること、言い換えると、携帯端末１１０で、所定機能が実行されていることである。
【００２３】
図１に戻り、操作検知部１１８は、ユーザからの操作を監視し、自動印刷機能を実行するための第１の条件及び第２の条件が満たされたことを検知する。例えば、操作検知部１１８は、入力部１１４への入力を監視する。
ここで、第２の条件は、ユーザが、印刷の実行指示とは異なり、対象データの生成を含む予め定められた処理の実行指示を入力部１１４に入力することである。本実施の形態では、第２の条件は、ユーザがスクリーンショットの実行指示を入力部１１４に入力したことである。
【００２４】
ロード部１１９は、第１の条件及び第２の条件が満たされたことを操作検知部１１８が検知した場合に、記憶部１１２に記憶されている最新の画像データを対象データとして読み出す。
そして、ロード部１１９は、読み出された対象データのサムネイルを含む印刷確認画面画像を生成し、それを表示部１１３に表示させる。
【００２５】
印刷確認画面画像に基づいて、入力部１１４がユーザから印刷することの確認の入力を受けた場合には、ロード部１１９は、印刷処理部１２０に処理を引き継ぐ。
印刷確認画面画像に基づいて、入力部１１４がユーザから印刷しないことの確認の入力を受けた場合には、ロード部１１９は、読み出した対象データを削除して、表示部１１３に、印刷確認画面画像の表示を停止させる。
【００２６】
表示部１１３に印刷確認画面画像が表示された後、ユーザからの確認の入力を受ける前に、操作検知部１１８が、入力部１１４へのスクリーンショットの実行指示の入力を検知した場合には、ロード部１１９は、印刷が行われていないことを警告する警告画面画像を生成し、それを表示部１１３に表示させる。
【００２７】
印刷処理部１２０は、入力部１１４がユーザから印刷することの確認の入力を受けた場合に、ロード部１１９が読み出した対象データに従って印刷を行うための印刷ジョブを生成して、その印刷ジョブを、端末側通信部１１１に印刷装置１３０へ送信させる。
【００２８】
以上に記載された制御部１１５の一部又は全部は、例えば、図３（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。
なお、記憶部１１２は、メモリ１０により実現されてもよく、メモリ１０とは別の記憶装置により実現されてもよい。
【００２９】
また、制御部１１５の一部は、例えば、図３（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００３０】
図１に戻り、印刷装置１３０は、装置側通信部１３１と、処理部１３２と、印刷部１３３とを備える。
【００３１】
装置側通信部１３１は、携帯端末１１０と通信する通信インターフェースである。本実施の形態では、装置側通信部１３１は、無線を用いて、携帯端末１１０と通信を行う、無線ＬＡＮの通信インターフェースである。
【００３２】
処理部１３２は、装置側通信部１３１で受信された印刷ジョブを受け取り、その印刷ジョブに基づいて、印刷部１３３に対象データの印刷を行わせる。
例えば、処理部１３２は、印刷ジョブに従って、対象データに対応する印刷データを展開し、その印刷データを印刷部１３３に送り、印刷部１３３に印刷を行わせる。
印刷部１３３は、処理部１３２からの指示に応じて、印刷データの印刷を実行する。
【００３３】
以上に記載された処理部１３２の一部又は全部は、例えば、図３（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。
【００３４】
また、処理部１３２の一部又は全部は、例えば、図３（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００３５】
図４は、本実施の形態に係る携帯端末１１０の状態遷移図である。
なお、前提として、ユーザは、図２に示されている設定画面画像１０２に基づいて、１又は複数のアプリケーションの操作中にスクリーンショット撮影を行った場合において自動印刷機能を有効にする設定を行っているものとする。
【００３６】
まず、操作検知部１１８は、入力部１１４での入力を監視することで、ユーザの操作をバックグラウンドで常時監視している（Ｓ１０）。
そして、自動印刷機能が有効にされているアプリケーションの実行中に、入力部１１４にスクリーンショットの実行指示の入力が行われたことを操作検知部１１８が検知した場合には、携帯端末１１０の状態Ｓ１０は、状態Ｓ１１に遷移する。このとき、処理実行部１１６は、スクリーンショットを実行し、スクリーンショットで生成された画像データを記憶部１１２に記憶させる。
【００３７】
状態Ｓ１１では、表示部１１３は、印刷結果のプレビューを表示し、印刷を行うか否かを確認するために、印刷確認画面画像を表示する。
例えば、ロード部１１９は、記憶部１１２に記憶されている画像データの内、最新のものをスクリーンショットで生成された画像データであると判断し、その画像データを対象データとして読み出す。そして、ロード部１１９は、対象データのサムネイルを含む印刷確認画面画像を生成し、それを表示部１１３に表示させる。
【００３８】
図５は、印刷確認画面画像の一例を示す概略図である。
印刷確認画面画像１０３は、対象データのサムネイルを表示する表示領域１０３ａと、印刷することを指示する印刷確認入力領域としての第１のボタン１０３ｂと、印刷しないことを指示する非印刷確認入力領域としての第２のボタン１０３ｃとを有する。
そして、ユーザが第１のボタン１０３ｂにタッチした場合には、ロード部１１９は、第１のボタン１０３ｂを選択した実行指示が入力されたものと判断し、状態Ｓ１１は、状態Ｓ１２に遷移する。
一方、ユーザが第２のボタン１０３ｃにタッチした場合には、ロード部１１９は、第２のボタン１０３ｃを選択した実行指示が入力されたものと判断し、状態Ｓ１１は、状態Ｓ１３に遷移する。
【００３９】
状態Ｓ１２では、ユーザから印刷の確認が取れたので、印刷処理部１２０は、ロード部１１９により読み出された対象データの印刷指示を行う。例えば、印刷処理部１２０は、ロード部１１９が読み出した対象データに基づいて印刷を行うための印刷ジョブを生成し、その印刷ジョブを端末側通信部１１１に印刷装置１３０へ送信させる。印刷装置１３０は、このような印刷ジョブを受信し、受信された印刷ジョブに基づいて、対象データの印刷を実行する。
なお、印刷処理部１２０が印刷指示を行った後には、状態Ｓ１２は、状態Ｓ１０に遷移し、操作検知部１１８は、バックグラウンドでのユーザ操作の監視を再開する。
【００４０】
状態Ｓ１３では、ユーザから印刷をしないことの確認が取れたので、ロード部１１９は、記憶部１１２から読み出した対象データを削除する。削除が行われた後、状態Ｓ１３は、状態Ｓ１０に遷移し、操作検知部１１８は、バックグラウンドでのユーザ操作の監視を再開する。
【００４１】
また、状態Ｓ１１において、ユーザが第１のボタン１０３ｂ又は第２のボタン１０３ｃにタッチする前に、操作検知部１１８が、ユーザによるスクリーンショットの実行指示の入力、言い換えると、別件のスクリーンショットの実行指示の入力を検知した場合には、状態Ｓ１１は、状態Ｓ１４に遷移する。
【００４２】
状態Ｓ１４では、表示部１１３は、印刷が行われていないことを警告する警告画面画像を表示する。警告画面画像は、例えば、ロード部１１９が生成するものとする。
【００４３】
図６は、警告画面画像の一例を示す概略図である。
警告画面画像１０４は、印刷が行われていないことを警告するメッセージを表示する表示領域１０４ａと、印刷確認画面を再度表示することを指示する再表示指示領域１０４ｂとを備える。
ユーザが再表示指示領域１０４ｂにタッチした場合には、ロード部１１９は、再表示指示領域１０４ｂを選択した実行指示が入力されたものと判断し、状態Ｓ１２は、状態Ｓ１１に遷移し、表示部１１３は、印刷確認画面画像１０３を再度表示する。印刷確認画面画像１０３では、前回のスクリーンショットで撮像された対象データのサムネイルが表示される。
【００４４】
以上のように、本実施の形態によれば、スクリーンショットの実行指示を入力するだけで、印刷をするか否かの印刷確認画面画像が自動で表示されるため、ユーザの負担が軽減される。
また、自動印刷機能を有効にするアプリケーションをユーザが選択できるため、ユーザの利用形態に合わせて、スクリーンショットの実行指示を入力するだけで、印刷準備が行われるアプリケーションを選択することができる。
【００４５】
なお、以上の実施の形態では、操作端末として携帯端末１１０を例に説明したが、例えば、操作端末として、ＰＣ（Ｐｅｒｓｏｎａｌ  Ｃｏｍｐｕｔｅｒ）又はタブレット等の情報処理装置を利用することもできる。
【００４６】
また、以上の実施の形態では、自動印刷機能を実行する第２の条件は、スクリーンショットの実行指示の入力が行われたことであることとしたが、本実施の形態は、このような例に限定されない。例えば、携帯端末１１０が、図示されていない撮像部（カメラ）を備える場合には、第２の条件は、撮像部により撮像を行い、画像データを生成する撮像処理の実行指示（撮像指示）の入力であってもよい。この場合、処理実行部１１６は、図示されていない撮像部を制御して、撮像を行い、撮像された画像の画像データを生成して、記憶部１１２に記憶させる。そして、ロード部１１９は、対象データとして、記憶部１１２に記憶されている最新の画像データを読み出す。
【００４７】
また、第２の条件は、表示部１１３に表示されている画面画像である文章等の一部をコピーするコピー処理の実行指示であってもよい。また、この場合には、ロード部１１９は、対象データとして、コピーされた内容を示すデータを記憶部１１２から読み出す。ここで、コピーされた内容が文字列である場合には、その内容を示すデータは、テキストデータであってもよい。また、コピーされた内容が画像である場合には、その内容を示すデータは、画像データであってもよい。例えば、処理実行部１１６は、入力部１１４がコピー指示を受けると、表示部１１３に表示されている内容の一部をコピーして、コピーされた内容を示すテキストデータ又は画像データを生成して、そのデータを記憶部１１２に記憶させる。
【符号の説明】
【００４８】
１００  印刷システム、  １１０  携帯端末、  １１１  端末側通信部、  １１２  記憶部、  １１３  表示部、  １１４  入力部、  １１５  制御部、  １１６  処理実行部、  １１７  設定保存部、  １１８  操作検知部、  １１９  ロード部、  １２０  印刷処理部、  １３０  印刷装置、  １３１  装置側通信部、  １３２  処理部、  １３３  印刷部。
【図１】
2019074976.tif 000003
【図２】
2019074976.tif 000004
【図３】
2019074976.tif 000005
【図４】
2019074976.tif 000006
【図５】
2019074976.tif 000007
【図６】
2019074976.tif 000008